(57)【特許請求の範囲】
【請求項１】
インクシ−トを繰り出すための第１ロ−ラと、該第１ロ−ラより繰り出されたインクシ−トを巻き取るためにトルクリミッタ付の第１ギアを介して第１のモ−タ手段に結合された第２ロ−ラと、上記第１ロ−ラの回動軸に装着された第２ギアと、第２モ−タ手段の回動力を伝達するための第３ギアと同軸に装着され、かつ、常時上記第３ギアと結合すると共に上記第２ギアにも噛合可能な第４ギアが装着されたカムを備え、
白ライン印写時には、上記第２モ−タの回動に伴う上記カムの回動により上記第４ギアが上記第２ギアと噛合可能位置に移動し、上記第４ギアの回転が上記第２ギアの回転より遅くすることにより、前記第４ギアと前記第２ギアとが噛合し、上記第２ローラの回転力がインクシートを介して上記第１ローラに伝わり上記第１ローラを回転させようとしても、上記第１ロ−ラの回動軸に装着された第２ギアの回転が上記第４ギアにより規制され、
一方、印写時には、前記第４ギアの回転を前記第２ギアの回転より早くすることにより、前記第４ギアと前記第２ギアとの噛合が外れ、上記第２ローラの回転力がインクシートを介して上記第１ローラに伝わり、上記第１ローラを回転させることを特徴とする熱転写式プリンタ。
【発明の詳細な説明】
【０００１】
【発明の属する技術分野】
本発明は、特にファクシミリ装置や複写装置の如く原稿読取手段を備えた装置に適用して最適な熱転写式プリンタに関する。
【０００２】
【従来の技術】
現在、熱転写式プリンタはＯＡ機器の印字手段として広く採用されている。しかし、熱転写式プリンタでは、その印字時記録紙とインクシートとを常に密着させた状態で印字を行なう必要があるため、空白行においてもインクシートを消費してしまいランニングコストが嵩むという問題があった。
【０００３】
そこで、特許第２５８９４２８号、特許第２８７９９６６号等においてインクシートの搬送速度を記録紙の搬送速度より小とすることにより、インクシートの消費を抑制可能な熱転写式プリンタが提案されている。
【０００４】
【発明が解決しようとする課題】
しかし、上記先行文献における提案では、１枚の記録紙に１ページ分の画像情報を印写する際には、インクシートの搬送速度を記録紙の搬送速度より小とするか、等速とするかのいずれかを選択できるだけであり、印写部分をインクシートの消費抑制を行なうことなく鮮明にしながら、全白ラインの印写時だけをインクシートの搬送速度を記録紙の搬送速度より小としてインクシートの消費抑制を可能とすることは困難であった。
【０００５】
【課題を解決するための手段】
本発明は、インクシ−トを繰り出すための第１ロ−ラと、該第１ロ−ラより繰り出されたインクシ−トを巻き取るためにトルクリミッタ付の第１ギアを介して第１のモ−タ手段に結合された第２ロ−ラと、上記第１ロ−ラの回動軸に装着された第２ギアと、第２モ−タ手段の回動力を伝達するための第３ギアと同軸に装着され、かつ、常時上記第３ギアと結合すると共に上記第２ギアにも噛合可能な第４ギアが装着されたカムを備え、白ライン印写時には、上記第２モ−タの回動に伴う上記カムの回動により上記第４ギアが上記第２ギアと噛合可能位置に移動し、上記第４ギアの回転が上記第２ギアの回転より遅くすることにより、前記第４ギアと前記第２ギアとが噛合し、上記第２ローラの回転力がインクシートを介して上記第１ローラに伝わり上記第１ローラを回転させようとしても、上記第１ロ−ラの回動軸に装着された第２ギアの回転が上記第４ギアにより規制され、一方、印写時には、前記第４ギアの回転を前記第２ギアの回転より早くすることにより、前記第４ギアと前記第２ギアとの噛合が外れ、上記第２ローラの回転力がインクシートを介して上記第１ローラに伝わり、上記第１ローラを回転させることを特徴とする。
【０００６】
【発明の実施の形態】
図１は、本発明の熱転写式プリンタを適用してなる複写機能付のファクシミリ装置の一実施例における機構要部を示す上面図であり、図２及び図３は夫々その左右側面図である。
【０００７】
本実施例装置は、筐体１内に前後方向に平行に延在する１対の左右支持板２、３が配されている。また、この支持板２、３間には、筐体１後端側より順にインクシートを繰り出すためのインクシート供給ロール４、記録紙供給ローラ５、記録系プラテン６、記録紙排出ローラ７、上記供給ロール４より繰り出されたインクシートを巻き取るインクシート巻取りロール８、原稿給紙ローラ９及び読取系プラテン１０が、その長手方向が筐体１の左右方向と平行となるように配されている。尚、上記インクシート供給ロール４、記録系プラテン６、記録紙排出ローラ７及びインクシート巻取りロール８は、上記左右支持板２、３に両端が回動自在に支持されているが、上記記録紙供給ローラ５は一端だけが右支持板３に回動自在に支持され、上記原稿給紙ローラ９及び読取系プラテン１０は一端だけが左支持板２に回動自在に支持され、他端は上記左右支持板２、３とは別体に設けられた支持板１１、１２に回動自在に支持されている。
【０００８】
また、上記左支持板２の左側には原稿を読取るために必要な機構（以下、読取系機構１００と称す。）が配され、上記右支持板３の右側には記録紙に熱転写印字を行なうために必要な機構（以下、印写系機構２００と称す。）が配されている。
【０００９】
上記読取系機構１００は、パルスモータからなる読取系モータ１０１の回転軸に装着された第１ギア１０２と、大小２つのギアを同軸上に配してなるギア（以下、二重ギアと称す。）からなり大径ギアが上記第１ギア１０２と噛合すると共に上記左支持板２に回動可能に軸支された第２ギア１０３と、該第２ギア１０３の回動軸に遊嵌された第１カム１０４と、二重ギアからなり大径ギアが上記第２ギア１０３の小径ギアと噛合するように上記カム１０４に軸支された第３ギア１０３と、該第３ギア１０３の小径ギアに噛合するように上記カム１０４に軸支された第４ギア１０６とを有する。
【００１０】
また、上記第１カム１０４が図２中時計方向に回動した際に、上記第３ギア１０５の小径ギアと大径ギアが噛合する二重ギアからなる第５ギア１０７が上記左支持板２に回動可能に軸支されている。この第５ギア１０７の小径ギアは上記原稿給紙ローラ９の回動軸に装着された第６ギア１０８に噛合し、大径ギアは二重ギアからなる第７ギア１０９の大径ギアに噛合している。又、上記第７ギア１０９の小径ギアは上記読取系プラテン１０の回動軸に装着された第８ギア１１０に噛合している。
【００１１】
更に、上記第1カム１０４が図２中反時計方向に回動した際に、上記第４ギア１０６と大径ギアが噛合する二重ギアからなる第９ギア１１１が上記左支持板２に回動可能に軸支されている。この第９ギア１１１の小径ギアには二重ギアからなり上記左支持板２に回動可能に軸支されている第１０ギア１１２の大径ギアが噛合している。また、この第１０ギアの小径ギアには上記インクシート供給ロール４の回動軸に装着された第１１ギア１１３に噛合している。
【００１２】
後で詳細に説明するように、上記読取系モータ１０１の駆動により第１ギア１０２が図２中反時計方向に回動されると、上記原稿給紙ローラ９が図２中反時計方向に回動するため原稿分離板１３と協働して原稿載置位置１４内に載置された原稿１５を１枚ずつ上記読取系プラテン１０方向（筐体１前側）に送り出す。またこのとき、上記読取系プラテン１０は図２中時計方向に回動するため上記原稿給紙ローラ９の回動により送り出された原稿１５をＣＩＳ等の光学的読取手段１６とで狭持しながら画像を順次読取り、更に筐体１前側に送り出す。
【００１３】
一方、上記読取系モータ１０１の駆動により第１ギア１０２が図２中時計方向に回動されると、上記モータ１０１の回転力は第９〜第１１ギア１１１〜１１３を介して上記インクシート供給ロール４に供給可能となる。
【００１４】
上記印写系機構２００は、パルスモータからなる印写系モータ２２０（図示せず）の回転軸に装着された第２１ギア２０１と、二重ギアからなり大径ギアが上記第２１ギア２０１と噛合すると共に上記右支持板３に回動可能に軸支された第２２ギア２０２と、該第２２ギア２０２の回動軸に遊嵌された第２カム２０３と、二重ギアからなり上記第２カム２０３に軸支されると共に大径ギアが上記第２２ギア２０２の小径ギアに噛合した第２３ギア２０４と、二重ギアからなり上記右支持板３に回動可能に軸支されると共に大径ギアが上記第２２ギア２０２の小径ギアに噛合した第２４ギア２０５と、上記右支持板３に回動可能に軸支されると共に上記第２４ギア２０５に噛合した第２５ギア２０６と、上記記録紙供給ローラ５の回動軸に装着され上記第２５ギア２０６に噛合した第２６ギア２０７とを備える。尚、上記第２６ギア２０７はワンウェイクラッチを内蔵し、上記第２５ギア２０６の図３中時計方向への回転力は伝達されない。
【００１５】
また、上記第２カム２０３が図２中時計方向に回動した際に、上記第２３ギア２０４の小径ギアと大径ギアが噛合する二重ギアからなる第２７ギア２０８が上記右支持板３に回動可能に軸支されている。この第２７ギア２０８は、その小径ギアが上記インクシート巻取りロール８の回動軸に装着されたトルクリミッタ付の第２８ギア２０９に噛合し、大径ギアが上記右支持板３に回動可能に軸支された二重ギアからなる第２９ギア２１０の大径ギアに噛合している。上記第２９ギア２１０の小径ギアは、上記記録系プラテン６の回動軸に装着された第３０ギア２１１に噛合し、また該第３０ギア２１１は上記記録紙排出ローラ７の回動軸に装着された第３１ギア２１２に噛合している。
【００１６】
後で詳細に説明するように、上記印写系モータ２２０の駆動により第２１ギア２０１が図３中時計方向に回動されると、上記第２５ギア２０６の図３中時計方向への回転力により上記記録紙供給ローラ５が時計方向に回動するため記録紙分離板１７と協働して記録紙載置位置１８内に載置された記録紙１９を１枚ずつ上記記録系プラテン６方向（筐体１前側）に送り出す。尚、この時、上記第２カム２０３は反時計方向に回動されるが、その回動はストッパ２０により阻止される。
【００１７】
一方、上記印写系モータ２２０の駆動により第２１ギア２０１が図３中反時計方向に回動されると、上記第２カム２０３が時計方向に回動して第２３ギア２０４の小径ギアが第２７ギア２０８の大径ギアに噛合する。この結果、上記印写系モータ２２０の回転力が上記記録系プラテン６、記録紙排出ローラ７及びインクシート巻取りロール８に伝達され、インクシートを巻き取りながら上記記録系プラテン６と印字ヘッド２１との間を記録紙１９とインクシートとを重畳搬送させながら熱転写印写を行ない、その後印写済み記録紙１９を上記記録紙排出ローラ７とピンチローラ２２との協働により筐体１上方に排出する。尚、上記インクシート巻取りロール８に装着されている第２８ギア２０９はトルクリミッタ付であるため、上記インクシート供給ロール４からのインクシートの送り出し量によりその回転量が決定されることとなる。
【００１８】
次に、本実施例装置における動作を送信（読取）動作時、受信（印写）動作時及び複写動作時について説明する。
【００１９】
［送信（読取）動作時］
送信（読取）動作は、原稿載置位置１４内に載置された原稿１５を１枚ずつ上記読取系プラテン１０方向（筐体１前側）に送り出し、光学的読取手段１６で原稿上の画像を読取る動作であり、この際には図４に示す如く読取系モータ１０２により第１ギア１０２が反時計方向に回動される。
【００２０】
この回動力は第２ギア１０３を時計方向に回動することとなるので、図４に示す如く第１カム１０４も時計方向に回動して第３ギア１０５が第５ギア１０７に噛合し、読取系モータ１０２から供給された回動力は、第１ギア１０２、第２ギア１０３、第３ギア１０５、第５ギア１０７、第６ギア１０８、第７ギア１０９及び第８ギア１１０に伝達される。この結果、原稿給紙ローラ９が図４中反時計方向に回動するため原稿分離板１３と協働して原稿載置位置１４内に載置された原稿１５を１枚ずつ上記読取系プラテン１０方向（筐体１前側）に送り出し、また読取系プラテン１０は図４中時計方向に回動するため上記原稿給紙ローラ９の回動により送り出された原稿１５をＣＩＳ等の光学的読取手段１６とで狭持しながら画像を順次読取り、更に筐体１前側に送り出す。
【００２１】
［受信（印写）動作時］
受信画像情報を即時に印写する場合、又はメモリに記憶された画像情報を印写する場合には、まず図５に示す如く第２１ギア２０１が時計方向に回動すべく読取系モータを駆動する。これにより、第２２ギア２０２及び第２カム２０３が反時計方向に回動する。上記第２２ギア２０２の回動力は第２４ギア２０５及び第２５ギア２０６を介して第２６ギア２０７に伝達され、記録紙給紙ローラ５が時計方向に回動することとなり、記録紙載置位置１８内に載置された記録紙１９が１枚ずつ上記記録系プラテン６方向（筐体１前側）に送り出される。この送り出しは、上記記録紙１９の下流側先端が上記記録系プラテン６と印写ヘッド２１との間に到達するまで行なわれる。尚、この到達検出は例えば図示しないセンサを利用して検出しても良く、また上記読取系モータの回転数に従って制御するようにしても良い。
【００２２】
上記記録紙１９の下流側先端が上記記録系プラテン６と印写ヘッド２１との間に到達すると、図６に示す如く第２１ギア２０１が反時計方向に回動すべく読取系モータを駆動する。これにより、第２２ギア２０２及び第２カム２０３が時計方向に回動し、上記第２３ギア２０４の小径ギアが第２７ギア２０８の大径ギアに噛合して印字系モータの回動力が第２７ギア２０８、第２８ギア２０９、第２９ギア２１０、第３０ギア２１１及び第３１ギア２１２に伝達される。その結果、上記印写系モータ２２０の回転力が上記記録系プラテン６、記録紙排出ローラ７及びインクシート巻取りロール８に伝達され、インクシートを巻き取りながら上記記録系プラテン６と印字ヘッド２１との間を記録紙１９とインクシートとを重畳搬送させながら熱転写印写を行ない、その後印写済み記録紙１９を上記記録紙排出ローラ７とピンチローラ２２との協働により筐体１上方に排出する。
【００２３】
この場合、上記インクシート供給ロール４からのインクシートの送り出し量は上記印写系モータ２２０の回転に従った記録紙１９の送り量と一致するため、上記インクシート巻取りロール８のインクシート巻取り量も上記記録紙１９の送り量と一致する。
【００２４】
しかし、この状態で図７に示す如く読取系モータ１０１を第１ギア１０２が図７中時計方向に回動するように駆動すると、第２ギア１０３の反時計方向への回動により第１カム１０４も反時計方向に回動し、第４ギア１０６が第９ギア１１１の大径ギアに噛合可能となる。この結果、第４ギア１０６が第９ギア１１１の大径ギアに噛合すると、読取系モータ１０１からの回動力が第１〜第４及び第９〜第１１ギアを介してインクシート供給ロール４に供給されることとなる。
【００２５】
このようにしてインクシート供給ロール４に供給された回動力は、インクシート供給ロール４からインクシートを送り出す方向と一致する方向の力であるが、インクシートの搬送速度が印写系モータ２２０による上記記録紙１９の搬送速度より小の場合には、上記インクシートの送り出し量を規制することとなる。この結果、記録紙１９の搬送量に比べてインクシートの搬送量を小とし、インクシートの消費を抑制できる。尚、インクシート供給ロール４に供給された回動力が上記記録紙１９の搬送力より大となるとインクシートにたるみを生じさせるため好ましくなく。
【００２６】
そこで、上記第１カム１０４、第２〜第４ギア１０３、１０５、１０６及び第９ギア１０９の関係を図８及び図９に示す如く構成している。
【００２７】
即ち、図８に示す如く第４ギア１０６と第９ギア１１１とが噛合した際に一方のギアが他方のギアに与えると共に作用・反作用の関係にある力Ｆ１、Ｆ２（Ｆ１：第４ギア１０６が第９ギア１１１に与える力。Ｆ２：第９ギア１１１が第４ギア１０６に与える力。）の作用方向である圧力角を、上記第４ギア１０６と第９ギア１１１との回動軸を結ぶ線と直交し、かつ、上記ギア同士の噛合点を通過する作用線に対して２０°とすると共に、上記噛合点と第１カム１０４の回動軸（第２ギア１０３の回動軸）とを結ぶ線をＸ軸とし、このＸ軸と直交しかつ上記噛合点を通過する直線をＹ軸とした際に上記圧力角方向に延在する直線が常に上記第４ギア１０６が位置する象限に隣接する象限（第４ギア１０６が位置する象限を第１象限とした場合、第２、第４象限）間を延在するように上記第１カム１０４、第２〜第４ギア１０３、１０５、１０６及び第９ギア１０９を配する。尚、上記圧力角は標準で２０°又は１４°と規定されている。従って、本実施例では２０°としたが、１４°としても良い。
【００２８】
これにより、第４ギア１０６の回転が第９ギア１１１の回転より遅い場合には、図８に示す如き力Ｆ１、Ｆ２が発生する。この力Ｆ２の上記Ｙ軸方向の分力Ｆ２１は第９ギア１１１が第１カム１０４を回転させる力として作用するので第４ギア１０６と第９ギア１１１とが噛合する。そして、読取系モータ１０１の駆動力により上記インクシートの送り出し量が規制され、その結果記録紙１９の搬送量に比べてインクシートの搬送量を小となってインクシートの消費量を抑制できる。
【００２９】
一方、第４ギア１０６の回転が第９ギア１１１の回転より速い場合には、図９に示す如く力Ｆ１、Ｆ２が発生する。この時の分力Ｆ２２は、第４ギア１０６を第９ギア１１１から離間する方向に作用する。従って、第４ギア１０６と第９ギア１１１とは噛合せず、読取系モータ１０１の駆動力により上記インクシートの送り出し量が規制できないため、インクシートにたるみを生じさせるような問題は発生しない。
【００３０】
また、このような機構を利用することにより、印写時には上記第１カム１０４が常時第９ギア１１１方向（図８、９中半と系方向）に回動するように読取系モータ１０１の駆動すると共に、全白ラインの印写時のみ第４ギア１０６と第９ギア１１１とが噛合するように制御すれば、実質的に印写時の白ラインスキップが行える。
【００３１】
［複写動作時］
複写動作は、基本的には上述した送信（読取）動作及び受信（印写）動作の組み合わせであり、印写時におけるインクシートの消費量抑制を行なわない場合には図４を用いて説明した原稿読取動作と図５及び図６を用いて説明した印写動作とを同時並行的に行なえる。しかし、印写時にインクシートの消費量抑制を行なう場合には図７を用いて説明したように読取系モータ１０１の駆動力を原稿搬送ではなくインクシート供給に使用しなければならないため、原稿読取動作と印写動作とを同時並行的には行なえない。このときには、図４を用いて説明した原稿読取動作により読取った画像情報を一旦メモリに記憶した後、この記憶された画像情報を、図５〜図７を用いて説明した印写動作により印字する必要がある。
【００３２】
図１０は、本実施例装置の主要回路構成を示し、主制御部３００は例えばマイクロコンピュータからなり、ＲＯＭ（リードオンリメモリ）３０１に予め格納されている制御プログラムに基づいてバス３０２を介して接続された各部の制御を司る。
【００３３】
回線制御部３０３は着信検出回路、モデム及びダイヤラ等を内蔵し、回線Ｌからの着信の主制御部３００への検出報知、主制御部３００の制御の下で送受信信号の変復調及びダイヤル発信等を行う。
【００３４】
読取制御部３０４は例えばマイクロコントローラからなり、主制御部３００の制御の下で、例えばＣＩＳ、ＣＣＤ等からなる光学的読取手段１６及び読取系モータ１０１の駆動を制御する。
【００３５】
印写制御部３０５は例えばマイクロコントローラからなり、主制御部３００の制御の下で、サーマルヘッドを有する印写ヘッド２１及び印写系モータ２２０の駆動を制御する。
【００３６】
ＲＡＭ３０６は例えば半導体ランダムアクセスメモリ等の読み出し・書込み可能なメモリであり、該ＲＡＭ３０６には読取手段１６で読取った原稿の画像情報や回線Ｌを介して受信した画像情報をはじめ上記主制御部３００の制御動作に必要な各種情報が格納される。
【００３７】
操作部３０７は、送信先の電話番号を入力するための入力キー（図示せず）の他に送信を指示する送信キー３０８、ＲＡＭ３０６に格納されている画像情報の印写を指示する印写キー３０９、複写を指示する複写キー３１０、印写時のインクシートの消費抑制を指示するノーマル／セーブキー３１１、テスト印写を指示するテスト印写キー３１２等の機能キーを有する。
【００３８】
以下では、上記各機能キーの操作に従う本実施例装置の動作を説明する。
【００３９】
送信キー３０８が操作されると、主制御部３００は、［送信（読取）動作時］で説明した動作を実行すべく読取制御部３０４を制御し、読取手段１６で読取った原稿１５上の画像情報を読取ると共に読取った画像情報を符号化した後、回線制御部３０３のモデムで変調して回線Ｌに送出する。
【００４０】
一方、回線Ｌを介して受信した画像情報は、回線制御部３０３のモデムで復調され、かつ、復号化した後、主制御部３００が［受信（印写）動作時］で説明した動作を実行すべく印写制御部３０５を制御して記録紙１９に受信画像を印写する。また、ＲＡＭ３０６に記憶されている画像情報を印写すべく印写キー３０９が操作された時も主制御部３００は［受信（印写）動作時］で説明した動作を実行すべく印写制御部３０５を制御して記録紙１９に画像を印写する。
【００４１】
尚、この印写時、上記ノーマル／セーブキー３１１によりセーブが指定されている時には、主制御部３００は印写制御部３０５と共に読取制御部３０４を制御して上記図８、図９を用いて説明したように読取系モータ１０１を利用してインクシートの送り出しを規制してインクシートの消費量を抑制する。またこの抑制量は上記図８、図９を用いて説明から明らかなように読取系モータ１０１の回動量（回転速度）により調整できるので、図示しない回転速度調整手段により回転速度を調整指示可能とする。
【００４２】
複写キー３１０が操作されると、主制御部３００は、まず［送信（読取）動作時］で説明した動作を実行すべく読取制御部３０４を制御し、読取手段１６で読取った原稿１５上の画像情報を読取ると共に読取った画像情報を一旦ＲＡＭ３０６に格納する。その後、［受信（印写）動作時］で説明した動作を実行すべく印写制御部３０５を制御してＲＡＭ３０６に記憶された画像情報を記録紙１９に画像を印写する。この時、上記ノーマル／セーブキー３１１によりセーブが指定されている時には、上述の印写動作と同様に主制御部３００は印写制御部３０５と共に読取制御部３０４を制御して上記図８、図９を用いて説明したように読取系モータ１０１を利用してインクシートの送り出しを規制してインクシートの消費量を抑制する。
【００４３】
テスト印写キー３１２が操作された際には、主制御部３００はＲＯＭ３０１又はインクシートの消費抑制を行わないノーマルモードと、インクシートの消費抑制を行うセーブモードとの２つのモードでＲＡＭ３０６に予め記憶されているテスト画像情報をそれぞれ印写する。
【００４４】
具体的には、まず上述した如くノーマル／セーブキー３１１よりノーマルに指示された際に印写キー３０９が操作された場合と同様に読取系モータ１０１を利用したインクシートの送り出し規制を行うことなくテスト画像情報を印写し、続いて上述した如くノーマル／セーブキー３１１よりセーブに指示された際に印写キー３０９が操作された場合と同様に読取系モータ１０１を利用してインクシートの送り出し規制を行いながらテスト画像情報を印写する。
【００４５】
尚、テスト画像情報量が１枚の記録紙１９に印写可能な情報量の半分以下の場合には、上記ノーマルモードでのテスト画像情報の印写とセーブモードでのテスト画像情報の印写とを同一記録紙上に行う。
【００４６】
また、セーブモードによるテスト画像の印写は、上述の［受信（印写）動作時］同様、回転速度調整手段による回転速度の調整指示に従っても良く、この指示を無視して常にインクシートの消費抑制量を最大とする状態で行うようにしてもよく、更にインクシートの消費抑制量を多段階にした状態でそれぞれテスト画像情報を印写する様にしても良い。
【００４７】
【発明の効果】
本発明によれば、実印写部分をインクシートの消費抑制を行なうことなく鮮明に印写しながら、全白ラインの印写時だけをインクシートの搬送速度を記録紙の搬送速度より小としてインクシートの消費抑制を可能とできる。
【図面の簡単な説明】
【図１】本発明を適用してなる一実施例の主要機構を示す上面図である。
【図２】本実施例の機構を示す左側面図である。
【図３】本実施例の機構を示す右側面図である。
【図４】本実施例の機構を示す左側面図である。
【図５】本実施例の機構を示す右側面図である。
【図６】本実施例の機構を示す右側面図である。
【図７】本実施例の機構を示す左側面図である。
【図８】本実施例の要部を説明するための機構図である。
【図９】本実施例の要部を説明するための機構図である。
【図１０】本実施例の主要回路を示すブロック図である。
【符号の説明】
１      筐体
４      インクシート供給ロール
５      記録紙供給ローラ
８      インクシート巻取りロール
１０    読取系プラテン
１５    原稿
１６    読取手段
１９    記録紙
２１    印写ヘッド
１０１  読取系モータ
１０４  第１カム
１０６  第４ギア
１１１  第９ギア
２０９  第２８ギア（トルクリミッタ付）
２２０  印写系モータ
３００  主制御部
３０４  読取制御部
３０５  印写制御部
【図１】
0003723406.tif 000002
【図２】
0003723406.tif 000003
【図３】
0003723406.tif 000004
【図４】
0003723406.tif 000005
【図５】
0003723406.tif 000006
【図６】
0003723406.tif 000007
【図７】
0003723406.tif 000008
【図８】
0003723406.tif 000009
【図９】
0003723406.tif 000010
【図１０】
0003723406.tif 000011